(57)【要約】【課題】ズーム比が大きく、広角端での画角が大きく、電子撮像素子に適しており、光学性能がさらに向上されていて、鏡筒のコンパクト化に好適で、安価なズームレンズ。【解決手段】物体側から順に、正の屈折力の第１レンズ群Ｇ１、負の屈折力の第２レンズ群Ｇ２、正の屈折力の第３レンズ群Ｇ３、負の屈折力の第４レンズ群Ｇ４、正の屈折力の第５レンズ群Ｇ５を有し、各レンズ群の間隔を変化させることにより変倍を行い、第１レンズ群Ｇ１は広角端よりも望遠端で物体側にあるように移動し、第５レンズ群Ｇ５は広角端よりも望遠端で像側にあるように移動し、第３レンズ群Ｇ３と第４レンズ群Ｇ４の軸上間隔は広角端から中間ズーム位置にかけては増大し、中間のズーム位置から望遠端にかけては減少するズームレンズ。【選択図】図１
2007279183.tif 000002
【特許請求の範囲】
【請求項１】
物体側から順に、正の屈折力の第１レンズ群、負の屈折力の第２レンズ群、正の屈折力の第３レンズ群、負の屈折力の第４レンズ群、正の屈折力の第５レンズ群を有し、各レンズ群の間隔を変化させることにより変倍を行い、前記第１レンズ群は広角端よりも望遠端で物体側にあるように移動し、前記第５レンズ群は広角端よりも望遠端で像側にあるように移動し、前記第３レンズ群と前記第４レンズ群の軸上間隔は広角端から中間ズーム位置にかけては増大し、中間のズーム位置から望遠端にかけては減少することを特徴とするズームレンズ。
【請求項２】
以下の条件式を満足することを請求項１記載のズームレンズ。
４．００＜Ｌw ／ｆw ＜９．００                                ・・・（１）
ただし、Ｌw ：広角端における全長、
ｆw ：広角端での全系焦点距離、
である。
【請求項３】
以下の条件式を満足することを特徴とする請求項１又は２記載のズームレンズ。
１．００＜Ｌt ／ｆt ＜１．８０                                ・・・（２）
ただし、Ｌt ：望遠端における全長、
ｆt ：望遠端での全系焦点距離、
である。
【請求項４】
前記第１レンズ群が１枚の正レンズからなることを特徴とする請求項１から３の何れか１項記載のズームレンズ。
【請求項５】
前記第１レンズ群の正レンズが以下の条件式を満足することを特徴とする請求項４記載のズームレンズ。
７５．０＜νd1p ＜１０５．０                                  ・・・（３）
ただし、νd1p ：前記第１レンズ群の正レンズのアッベ数、
である。
【請求項６】
前記第１レンズ群の正レンズが以下の条件式を満足することを特徴とする請求項４又は５記載のズームレンズ。
−１．５０＜ＳＦ1p＜−０．２０                                ・・・（４）
ただし、ＳＦ1p＝（Ｒ1pf ＋Ｒ1pr ）／（Ｒ1pf −Ｒ1pr ）で定義され、Ｒ1pf 、Ｒ1pr はそれぞれ前記第１レンズ群の正レンズの物体側面、像側面の軸上曲率半径である。
【請求項７】
前記第２レンズ群が、物体側から順に、負レンズＬ２１、負レンズＬ２２、正レンズＬ２３からなることを特徴とする請求項１から６の何れか１項記載のズームレンズ。
【請求項８】
前記負レンズＬ２１は像側に凹面を向けており、前記負レンズＬ２２は物体側に凹面を向けており、前記負レンズＬ２２と前記正レンズＬ２３は接合されていることを特徴とする請求項７記載のズームレンズ。
【請求項９】
請求項１から８の何れか１項記載のズームレンズと、電子撮像素子とを有し、前記ズームレンズを通じて結像された像を前記電子撮像素子にて撮像して得られた画像データを加工して形状を変化させた画像データとして出力することが可能な電子撮像装置において、
前記結像光学系が略無限遠物点合焦時に以下の条件を満足することを特徴とする電子撮像装置。
０．８５０＜ｙ07／（ｆw ・ tanω07w ）＜０．９７０          ・・・（１７）
ただし、電子撮像素子の有効撮像面内（撮像可能な面内）で中心から最も遠い点までの距離（最大像高）をｙ10とすると、ｙ07＝０．７ｙ10、ω07w は広角端における電子撮像素子の有効撮像面上の中心からｙ07  の位置に結ぶ像点に対応する物点方向の光軸に対する角度である。
【請求項１０】
請求項１から８の何れか１項記載のズームレンズと、前記ズームレンズによって形成された物体像を受光する位置に配置された撮像素子とを備えたことを特徴とする電子撮像装置。
【請求項１１】
請求項１から８の何れか１項記載のズームレンズと、前記ズームレンズによって形成された物体像を受光する位置に配置された撮像素子と、前記撮像素子によって光電変換された電子信号を処理するＣＰＵと、操作者が前記ＣＰＵに入力したい情報信号を入力するための入力部と、前記ＣＰＵからの出力を表示装置に表示する表示処理手段と、前記ＣＰＵからの出力を記録する記録媒体とを含み、前記ＣＰＵは、前記ズームレンズによって前記撮像素子で受光された物体像を前記表示装置に表示するように構成されていることを特徴とする情報処理装置。
【請求項１２】
前記情報処理装置は携帯端末機器であることを特徴とする請求項１１記載の情報処理装置。
【請求項１３】
請求項１から８の何れか１項記載のズームレンズと、前記ズームレンズによって形成された物体像を受光する位置に配置された撮像素子と、前記撮像素子によって光電変換された電子信号を処理するＣＰＵと、前記撮像素子で受光された物体像を観察可能に表示する表示素子とを有し、前記撮像素子で受光された物体像の像情報を記録するための記録媒体を内蔵又は挿脱するように構成され、前記ＣＰＵが、前記撮像素子に受光された物体像を前記表示素子に表示する表示装置と、前記撮像素子に受光された物体像を前記記録媒体に記録する記録処理手段とを有することを特徴とする電子カメラ装置。
【発明の詳細な説明】
【技術分野】
【０００１】
本発明は、ズームレンズに関し、特に、デジタルカメラやビデオカメラ等の電子撮像装置に用いたときの奥行き方向の薄型化を実現することができるズームレンズとそれを用いた電子撮像装置等の装置に関するものである。
【背景技術】
【０００２】
近年、銀塩３５ｍｍフィルムカメラに代わる次世代カメラとしてデジタルカメラが注目されている。さらに、それは業務用高機能タイプからポータブルな普及タイプまで幅広い範囲でいくつものカテゴリーを有するようになってきている。本発明においては、特にポータブルな普及タイプのカテゴリーに注目し、高画質を確保しながら奥行きの薄いビデオカメラ、デジタルカメラを実現する技術を提供することをねらっている。
【０００３】
カメラの奥行き方向を薄くするのに最大のネックとなっているのは、光学系、特にズームレンズ系の最も物体側の面から撮像面までの厚みである。最近では、撮影時に光学系をカメラボディ内からせり出し、携帯時に光学系をカメラボディ内に収納するいわゆる沈胴式鏡筒を採用することが主流になっている。さらに、幅広い撮影領域を楽しみたいというユーザーの要求を満たすためには、広角端の画角が広くて、なおかつ、変倍比が大きなズームレンズが要求される。
【０００４】
ズーム比が５倍程度と大きく、広角端での画角が６０°程度と大きく、射出瞳位置が適切に設定された、電子撮像素子に適した、光学性能の比較的良好なズームレンズとして、特許文献１に開示されたものがある。
【特許文献１】特開２００３−２５５２２８号公報
【発明の開示】
【発明が解決しようとする課題】
【０００５】
しかしながら、特許文献１に開示されている実施例では、ズームレンズを構成するレンズ枚数が多かったり、ズームレンズ全系の全長が長かったりするため、沈胴方式を採用したとしても鏡筒が十分にコンパクトにならないという問題があった。また、コストが高くなってしまうという問題があった。
【０００６】
本発明は従来技術のこのような問題点に鑑みてなされたものであり、その目的は、ズーム比が大きく、広角端での画角が大きく、電子撮像素子に適しており、光学性能がさらに向上されていて、鏡筒のコンパクト化に好適で、安価なズームレンズを提供することである。
【課題を解決するための手段】
【０００７】
上記目的を達成するための本発明のズームレンズは、物体側から順に、正の屈折力の第１レンズ群、負の屈折力の第２レンズ群、正の屈折力の第３レンズ群、負の屈折力の第４レンズ群、正の屈折力の第５レンズ群を有し、各レンズ群の間隔を変化させることにより変倍を行い、前記第１レンズ群は広角端よりも望遠端で物体側にあるように移動し、前記第５レンズ群は広角端よりも望遠端で像側にあるように移動し、前記第３レンズ群と前記第４レンズ群の軸上間隔は広角端から中間ズーム位置にかけては増大し、中間のズーム位置から望遠端にかけては減少することを特徴とするものである。
【０００８】
以下に、本発明のズームレンズにおいて、上記構成をとる理由と作用を説明する。
【０００９】
以上のような構成を採用することによって、変倍の負担を各レンズ群に分担させることができるため、全長短縮が実現でき、鏡筒のコンパクト化を容易にすることができる。また、射出瞳位置を適切に保つことができるため、電子撮像素子のＣＣＤ等への入射光線の角度を適度な範囲にコントロールすることが可能になり、ＣＣＤ等の電子撮像素子の受光面に効率良く光線を入射させることが可能になる。さらに、変倍時の収差変動を抑え、全変倍域において良好な光学性能を得ることができるようになる。
【００１０】
以下に、さらに詳細に説明する。
【００１１】
広角端から望遠端への変倍において、第１レンズ群は、広角端よりも望遠端で物体側にあるように移動するとよい。このようにすると、最も物体側に位置するレンズの外径を小さく保ったまま、ズームレンズの広角化が可能となる。そのため、鏡筒の外径方向の小型化を達成することが容易になる。
【００１２】
第５レンズ群は、広角端よりも望遠端で像側にあるように移動し、第３レンズ群と第４レンズ群の軸上間隔は、広角端から中間ズーム位置にかけては増大し、中間のズーム位置から望遠端にかけては減少するようにするとよい。一般的に、正の第１レンズ群、負の第２レンズ群、正の第３レンズ群、負の第４レンズ群、正の第５レンズ群からなるズームレンズでは、第２レンズ群と第３レンズ群の変倍の負担が大きくなりやすいため、変倍時の収差変動が大きくなりやすい。第５レンズ群を広角端よりも望遠端で像側にあるように移動させると、第５レンズ群に変倍の作用を担わせることができるため、他の変倍レンズ群の負担を軽減でき、変倍時の収差変動をより小さく抑えることが可能となる。
【００１３】
しかしながら、第５レンズ群がこのような動きにすると、広角端と望遠端では軸外の像面がプラス側に、中間のズーム状態の付近ではマイナス側になりやすい。そこで、第３レンズ群と第４レンズ群の軸上間隔は広角端から中間ズーム状態にかけては増大し、中間のズーム状態から望遠端にかけては減少するようにすると、全変倍域において軸外の像面位置を良好に補正できるようになる。
【００１４】
本発明では、上述のように光学系に工夫を施して、ズーム比が大きく、広角端での画角が大きく、電子撮像素子に適しており、光学性能が良好で、鏡筒のコンパクト化に好適であり、なおかつ、安価なズームレンズを実現している。
【００１５】
本発明では、コンパクト化と良好な光学性能確保を行うため、さらに種々の工夫に加えている。以下に詳細な説明をする。
【００１６】
第２レンズ群は、広角端よりも望遠端で像側にあるように移動し、第３レンズ群は、広角端よりも望遠端で物体側にあるように移動するのがよい。このような構成にすると、各レンズ群の変倍の負担を小さくすることができ、変倍時の収差変動を小さく抑えることができる。
【００１７】
物体側から順に、正の屈折力の第１レンズ群、負の屈折力の第２レンズ群、正の屈折力の第３レンズ群、負の屈折力の第４レンズ群、正の屈折力の第５レンズ群を有し、各レンズ群の間隔を変化させることにより変倍を行い、以下の何れかあるいは両方の条件式を満足するようにすると、なお好ましい。
【００１８】
４．００＜Ｌw ／ｆw ＜９．００                                ・・・（１）
１．００＜Ｌt ／ｆt ＜１．８０                                ・・・（２）
ただし、Ｌw ：広角端における全長、
Ｌt ：望遠端における全長、
ｆw ：広角端での全系焦点距離、
ｆt ：望遠端での全系焦点距離、
である。
【００１９】
これらはズームレンズの小型化と光学性能確保に関する条件式である。条件式（１）の上限の９．００、及び、条件式（２）の上限の１．８０を越えると、レンズ系の全長が長くなりすぎるため、沈胴させたときの鏡筒のコンパクト化が難しくなる。条件式（１）の下限の４．００、及び、条件式（２）の下限の１．００を越えると、構成する各レンズ群のパワーが強くなりがちで、変倍時の収差変動が大きくなり、全変倍域で良好な光学性能を得ることが難しくなる。
【００２０】
条件式（１）について、以下を満足するようにするとなおよい。
【００２１】
４．７０＜Ｌw ／ｆw ＜７．７０                              ・・・（１）’
さらに、以下を満足するとさらによい。
【００２２】
５．３０＜Ｌw ／ｆw ＜６．３０                              ・・・（１）”
条件式（２）について、以下を満足するようにするとなおよい。
【００２３】
１．１０＜Ｌt ／ｆt ＜１．７５                              ・・・（２）’
さらに、以下を満足するとさらによい。
【００２４】
１．２０＜Ｌt ／ｆt ＜１．６５                              ・・・（２）”
また、第１レンズ群が１枚の正レンズからなる構成とするとよい。第１レンズ群では軸外光線の光線高さが最も高くなるので、レンズの縁肉を必要な量確保しようとするとき、軸上肉厚が非常に厚くなりやすい。さらに、第１レンズ群のレンズ枚数を増やすと入射瞳位置が物体側から遠くになるため、第１レンズ群を通る光線高さはより高くなり、縁肉確保のための軸上肉厚はより厚みが必要となる。当然、レンズ枚数が増えた分の軸上肉厚も大きくなってしまう。したがって、レンズ枚数を増やすにつれてこのレンズ群の径方向の大きや光軸上肉厚も必要以上に大きくなってしまい、沈胴状態にしても鏡筒のコンパクト化が十分には行えなくなる。このような観点から、第１レンズ群は１枚のみからなる構成とすれば、コンパクト化に大きく貢献する。
【００２５】
しかしながら、第１レンズ群を１枚の正レンズのみからなる構成とすると、このレンズで発生した収差を第１レンズ群内でキャンセルすることができなくなるため、変倍時に収差変動が大きくなり光学性能の劣化につながりやすい。そのため、撮影画像が鑑賞に耐え得る現実的な程度のレベルまで、第１レンズ群内での収差発生を極力抑える必要がある。本発明のズームレンズでは、以下に述べるような種々の工夫を施し、良好な光学性能を確保している。
【００２６】
第１レンズ群の正レンズは以下の条件式を満足するのがよい。
【００２７】
７５．０＜νd1p ＜１０５．０                                  ・・・（３）
ただし、νd1p ：前記第１レンズ群の正レンズのアッベ数、
である。
【００２８】
条件式（３）の上限の１０５．０を越えると、硝材の入手性や量産性が悪くなり、コストアップにつながる。下限の７５．０を越えると、第１レンズ群で色収差の発生量が大きくなりすぎ、撮影画像に色にじみが発生してしまう。
【００２９】
さらに、以下を満足するとなおよい。
【００３０】
７５．０＜νd1p ＜１０１．０                                ・・・（３）’
さらに、以下を満足するとさらによい。
【００３１】
８０．０＜νd1p ＜９７．０                                  ・・・（３）”
また、第１レンズ群の正レンズは以下の条件式を満足するのがよい。
【００３２】
−１．５０＜ＳＦ1p＜−０．２０                                ・・・（４）
ただし、ＳＦ1p＝（Ｒ1pf ＋Ｒ1pr ）／（Ｒ1pf −Ｒ1pr ）で定義され、Ｒ1pf 、Ｒ1pr はそれぞれ前記第１レンズ群の正レンズの物体側面、像側面の軸上曲率半径である。
【００３３】
条件式（４）の上限の−０．２０を越えると、広角端での非点収差や球面収差の発生が大きくなりすぎる。下限の−１．５０を越えると、広角端での歪曲収差の発生が大きくなりすぎる。何れにしても、良好な光学性能を得ることが難しくなってしまう。
【００３４】
さらに、以下を満足するとなおよい。
【００３５】
−１．１０＜ＳＦ1p＜−０．３２                              ・・・（４）’
さらに、以下を満足するとさらによい。
【００３６】
−０．７０＜ＳＦ1p＜−０．５４                              ・・・（４）”
また、第１レンズ群の正レンズは両面非球面とするとよい。広角端の歪曲収差、非点収差、コマ収差の発生を効果的に抑えることができる。
【００３７】
また、第２レンズ群は、物体側から順に、負レンズＬ２１、負レンズＬ２２、正レンズＬ２３からなる構成とするとよい。このようにすると、後側主点をより像側に出せるので、変倍時の移動量を小さくすることができる。また、後述するように、開口絞りは第２レンズ群の後に配置するのがよいが、そうしたときに、入射瞳をより物体側に位置させることができるので、前玉径を小さくでき、レンズ系のコンパクト化につながる。
【００３８】
さらに、第２レンズ群の負レンズＬ２１は像側に凹面を向けており、負レンズＬ２２は物体側に凹面を向けており、負レンズＬ２２と正レンズＬ２３は接合されている構成とするとよい。第２レンズ群は変倍を担うレンズ群であるため、強い負パワーが必要であるが、反面大きな収差が発生しやすい。負レンズＬ２１は、像側に凹面を、負レンズＬ２２は物体側に凹面を向けた形状とすると、第２レンズ群内で発生する非点収差やコマ収差等の軸外収差を打ち消し、小さく抑えることができる。また、第２レンズ群を通過する軸外光線の光軸に対する角度が小さくなるため、変倍時第２レンズ群の移動に伴う収差変動も小さく抑えることができる。さらに、負レンズＬ２２と正レンズＬ２３を接合とすることで、色収差を補正することができる。
【００３９】
また、負レンズＬ２１の硝材は以下の条件式を満足するとよい。
【００４０】
１．７０＜Ｎd21 ＜２．２０                                    ・・・（５）
ただし、Ｎd21 は負レンズＬ２１のｄ線に対する屈折率である。
【００４１】
条件式（５）の上限の２．２０を越えると、硝材の入手性や量産性が悪くなるため、コストアップにつながる。下限の１．７０を越えると、所望の屈折力を得るのにレンズ面の曲率を大きくしなければならず、非点収差やコマ収差が大きくなりやすい。
【００４２】
さらに、以下を満足するとなおよい。
【００４３】
１．７５＜Ｎd21 ＜２．０５                                  ・・・（５）’
さらに、以下を満足するとさらによい。
【００４４】
１．８０＜Ｎd21 ＜１．９０                                  ・・・（５）”
正レンズＬ２３の硝材は以下の条件式を満足するようにするとよい。
【００４５】
１．７８０＜Ｎd23 ＜２．１００                                ・・・（６）
１３．０＜νd23 ＜３２．０                                    ・・・（７）
ただし、Ｎd23 、νd23 は正レンズＬ２３のｄ線に対するそれぞれ屈折率、アッベ数である。
【００４６】
条件式（６）の上限の２．１００を越えると、硝材の入手性や量産性が悪く、コストアップにつながる。下限の１．７８０を越えると、所望の屈折力を得るのにレンズ面の曲率を大きくしなければならず、非点収差やコマ収差が発生しやすい。
【００４７】
条件式（７）の上限の３２．０を越えると、色収差の補正が不十分になる。下限の１３．０を越えると、２次スペクトルの補正ができなくなり、撮影画像に色にじみが発生しやすくなる。
【００４８】
条件式（６）について、以下を満足するとなおよい。
【００４９】
１．８４０＜Ｎd23 ＜２．０２０                              ・・・（６）’
さらに、以下を満足するとさらによい。
【００５０】
１．９００＜Ｎd23 ＜１．９５０                              ・・・（６）”
条件式（７）について、以下を満足するとなおよい。
【００５１】
１５．０＜νd23 ＜２６．０                                  ・・・（７）’
さらに、以下を満足するとさらによい。
【００５２】
１７．０＜νd23 ＜２３．５                                  ・・・（７）”
第３レンズ群は、物体側から順に、正レンズ、負レンズからなる構成とするとよい。このような構成にすると、前側主点をより物体側に出せるので、変倍時の移動量を小さく抑えることができ、レンズ系の小型化につながる。また、これらを接合レンズとすることで、軸上色収差の補正を行うことができる。また、最も物体側に非球面を配置することで、球面収差補正の補正に効果がある。
【００５３】
第４レンズ群は、物体側から順に、正レンズ、像側に凹面を向けた負レンズからなる構成とするとよい。このような構成にすると、前側主点をより物体側に出せるので、変倍時の移動量を小さく抑えることができ、レンズ系の小型化につながる。また、これらを接合とすることで、色収差の補正を行うことができる。第４レンズ群の最も像側の面は像側に凹面を向けた形状とするとよい。このように構成することで、第４レンズ群を射出する軸外光線を跳ね上げてＣＣＤ等の電子撮像素子への入射角を適正な角度にし、効率良く受光面に光線を入れることができる。
【００５４】
このとき、第４レンズ群の負レンズの硝材は以下の条件式を満足するとよい。
【００５５】
１．８３０＜Ｎd4n ＜２．１００                                ・・・（８）
２０．０＜νd4n ＜３８．０                                    ・・・（９）
ただし、Ｎd4n 、νd4n は第４レンズ群の負レンズのｄ線に対するそれぞれ屈折率、アッベ数である。
【００５６】
条件式（７）の上限の２．１００を越えると、硝材の入手性や量産性が悪く、コストアップにつながる。下限の１．８３０を越えると、所望の屈折力を得るのに面の曲率を大きくしなければならず、非点収差やコマ収差の発生が大きくなりやすい。
【００５７】
条件式（８）の上限の３８．０を越えると、色収差の補正が不十分になる。下限の２０．０を越えると、このレンズで発生する短波長側の色収差が大きくなりすぎ、色収差の２次スペクトルの補正ができなくなり、撮影画像に色にじみが発生しやすくなる。
【００５８】
条件式（８）について、以下を満足するとなおよい。
【００５９】
１．８９０＜Ｎd4n ＜２．０６０                              ・・・（８）’
さらに、以下を満足するとさらによい。
【００６０】
１．９７０＜Ｎd4n ＜２．０２０                              ・・・（８）”
条件式（９）について、以下を満足するとなおよい。
【００６１】
２３．０＜νd4n ＜３２．０                                  ・・・（９）’
さらに、以下を満足するとさらによい。
【００６２】
２５．０＜νd4n ＜３０．０                                  ・・・（９）”
第５レンズ群は１枚の正レンズのみからなる構成とするとよい。第５レンズ群は主に射出瞳を像面から遠ざける作用をするので、１枚で必要十分である。このとき、第５レンズ群の正レンズは、以下の条件式を満足するとよい。
【００６３】
１．７５０＜Ｎd5p ＜２．１００                              ・・・（１０）
２２．０＜νd5p ＜３８．０                                  ・・・（１１）
ただし、Ｎd5p 、νd5p は第５レンズ群の正レンズのｄ線に対するそれぞれ屈折率、アッベ数である。
【００６４】
条件式（１０）はこのレンズで発生する軸外収差を適正範囲内に抑えるための条件式、条件式（１１）は倍率色収差補正に関する条件式である。第１レンズ群を少ない枚数構成とすると、第１レンズ群で発生した倍率色収差が残存しやすいが、第５レンズ群を通過する軸外光線は光線高が高いため、第１レンズ群で残存した倍率色収差を補正するのに都合がよい。
【００６５】
条件式（１０）の上限の２．１００を越えると、硝材の入手性や量産性が悪くなり、コストアップにつながる。下限の１．７５０を越えると、所望の屈折力を得るのに面の曲率を大きくしなければならず、非点収差やコマ収差の発生が大きくなりやすい。
【００６６】
条件式（１１）の上限の３８．０を越えると、倍率色収差の補正が不十分になる。下限の２２．０を越えると、このレンズで発生する短波長側の色収差が大きくなりすぎて２次スペクトル補正ができなくなり、撮影画像に色にじみが発生する。
【００６７】
条件式（１０）について、以下を満足するとなおよい。
【００６８】
１．７８０＜Ｎd5p ＜２．０６０                            ・・・（１０）’
さらに、以下を満足するとさらによい。
【００６９】
１．８００＜Ｎd5p ＜２．０２０                            ・・・（１０）”
条件式（１１）について、以下を満足するとなおよい。
【００７０】
２３．０＜νd5p ＜３２．０                                ・・・（１１）’
さらに、以下を満足するとさらによい。
【００７１】
２４．０＜νd5p ＜２９．０                                ・・・（１１）”
次に、ズームレンズを構成する各レンズ群のパワーについて述べる。
【００７２】
第１レンズ群は、以下の条件式を満足するのがよい。
【００７３】
２．５０＜ｆ1 ／ｆw ＜８．００                              ・・・（１２）
ただし、ｆ1 ：第１レンズ群の焦点距離、
ｆw ：広角端での全系焦点距離、
である。
【００７４】
条件式（１２）の上限の８．００を越えると、第１レンズ群のパワーが弱くなりすぎてレンズ系の全長が長くなりやすくなり、鏡筒のコンパクト化が難しくなる。下限の２．５０を越えると、パワーが強くなりすぎて収差の発生が大きくなる。特に色収差の発生が大きくなり、撮影画像の色にじみが顕著になってしまう。
【００７５】
さらに、以下を満足するとなおよい。
【００７６】
３．００＜ｆ1 ／ｆw ＜５．００                            ・・・（１２）’
さらに、以下を満足するとさらによい。
【００７７】
３．５０＜ｆ1 ／ｆw ＜４．２０                            ・・・（１２）”
第２レンズ群は、以下の条件式を満足するのがよい。
【００７８】
−２．１０＜ｆ2 ／ｆw ＜−０．０５                          ・・・（１３）
ただし、ｆ2 ：第２レンズ群の焦点距離、
ｆw ：広角端での全系焦点距離、
である。
【００７９】
条件式（１３）の下限の−２．１０を越えると、第２レンズ群のパワーが弱くなりすぎるため変倍のための移動量が大きくなり、鏡筒のコンパクト化が難しくなる。上限の−０．０５を越えると、第２レンズ群の近軸結像倍率が小さくなり、やはり変倍のための移動量が大きくなるし、収差補正も困難になる。
【００８０】
さらに、以下を満足するとなおよい。
【００８１】
−１．７０＜ｆ2 ／ｆw ＜−０．０７                        ・・・（１３）’
さらに、以下を満足するとさらによい。
【００８２】
−１．３０＜ｆ2 ／ｆw ＜−０．０９                        ・・・（１３）”
第３レンズ群は、以下の条件式を満足するのがよい。
【００８３】
１．４０＜ｆ3 ／ｆw ＜２．８０                              ・・・（１４）
ただし、ｆ3 ：第３レンズ群の焦点距離、
ｆw ：広角端での全系焦点距離、
である。
【００８４】
条件式（１４）の上限の２．８０を越えると、第３レンズ群のパワーが弱くなりすぎるため変倍のための移動量が大きくなり、鏡筒のコンパクト化が難しくなる。下限の１．４０を越えると、第３レンズ群の近軸結像倍率が小さくなり、やはり変倍のための移動量が大きくなるし、収差補正も困難になる。
【００８５】
さらに、以下を満足するとなおよい。
【００８６】
１．６０＜ｆ3 ／ｆw ＜２．３０                            ・・・（１４）’
さらに、以下を満足するとさらによい。
【００８７】
１．７８＜ｆ3 ／ｆw ＜１．９３                            ・・・（１４）”
第４レンズ群は、以下の条件式を満足するのがよい。
【００８８】
−９．００＜ｆ4 ／ｆw ＜−５．８０                          ・・・（１５）
ただし、ｆ4 ：第４レンズ群の焦点距離、
ｆw ：広角端での全系焦点距離、
である。
【００８９】
条件式（１５）の下限の−９．００を越えると、第４レンズ群のパワーが弱くなりすぎて、ＣＣＤ等の電子撮像素子への光線入射角度が大きくなる。すると、画面周辺での明るさの陰り（シェーディング）が発生しやすくなり好ましくない。上限の−５．８０を越えると、第４群のパワーが強くなりすぎ、収差発生が大きくなりやすい。
【００９０】
さらに、以下を満足するとなおよい。
【００９１】
−８．００＜ｆ4 ／ｆw ＜−６．２０                        ・・・（１５）’
さらに、以下を満足するとさらによい。
【００９２】
−７．３０＜ｆ4 ／ｆw ＜−６．６０                        ・・・（１５）”
第５レンズ群は、以下の条件式を満足するのがよい。
【００９３】
１．１０＜ｆ5 ／ｆw ＜３．００                              ・・・（１６）
ただし、ｆ5 ：第５レンズ群の焦点距離、
ｆw ：広角端での全系焦点距離、
である。
【００９４】
条件式（１６）の上限の３．００を越えると、第５レンズ群のパワーが弱くなりすぎて、ＣＣＤ等の電子撮像素子への光線入射角度が大きくなる。すると、画面周辺での明るさの陰り（シェーディング）が発生しやすくなり好ましくない。下限の１．１０を越えると、第５レンズ群のパワーが強くなりすぎ、第５レンズ群でフォーカシングを行うときの収差変動が大きくなり、至近撮影時に良好な画像を得ることが難しくなる。
【００９５】
さらに、以下を満足するとなおよい。
【００９６】
１．４０＜ｆ5 ／ｆw ＜２．５５                            ・・・（１６）’
さらに、以下を満足するとさらによい。
【００９７】
１．７０＜ｆ5 ／ｆw ＜２．０５                            ・・・（１６）”
次に、開口絞りとシャッターは、第２レンズ群と第３レンズ群の間に配置するのがよい。こうすると、第３レンズ群以降を通過する軸外光線高が必要以上に高くならずにすむため、第３レンズ群以降のレンズ群が変倍時に移動する際の軸外諸収差の変動を小さく抑えることができる。また、変倍時に第３レンズ群と一体で移動させるとよい。こうすると、入射瞳を物体側から見て浅くでき、射出瞳を像面から遠くできる。さらに、軸外光線の高さが低くなる場所であるので、シャッターユニットが大型化せずにすみ、開口絞り及びシャッターを移動させるときのデッドスペースが小さくてすむ。
【００９８】
至近物点に対するフォーカシングは、第４レンズ群又は第５レンズ群によるインナーフォーカスとするとよい。インナーフォーカス方式は、全体繰り出し方式や第１レンズ群繰り出しによるフォーカスと比べて、移動レンズ群が軽量なため、モータに掛かる負荷が少ない、全長が大きくならない、鏡枠内部に駆動モータを配置できるため鏡枠の径方向が大きくならない等、レイアウト上小型化に有利である。特に第５レンズ群によるフォーカシング方式とすれば、軸外像面の変動が小さくてすむため、至近距離の被写体の撮影の際にも、画面の周辺まで良好な光学性能を確保することができる。
【００９９】
本発明のズームレンズにおいて歪曲収差の発生を許容すると、画角の割に最も物体側の面の入射光線高が低くなるために、最も物体側に位置するレンズの外径を小さくすることが可能である。そこで、意図的に樽型歪曲収差を発生させ、そのズームレンズを通じて結像された像を電子撮像素子にて撮像して得られた画像データを加工して形状を変化させる機能を用いて、光学系で発生した歪曲収差による画像歪みを補正して観察できるようにするとよい。特に、カメラ等の電子撮像装置からすでに補正された形の画像データとして出力するのが理想的である。なお、光学系については、略無限遠物点合焦時にズームレンズの歪曲収差に関して、以下の条件式を満足するのがよい。
【０１００】
０．８５０＜ｙ07／（ｆw ・ tanω07w ）＜０．９７０          ・・・（１７）
ただし、電子撮像素子の有効撮像面内（撮像可能な面内）で中心から最も遠い点までの距離（最大像高）をｙ10とすると、ｙ07＝０．７ｙ10、ω07w は広角端における電子撮像素子の有効撮像面上の中心からｙ07  の位置に結ぶ像点に対応する物点方向の光軸に対する角度である。
【０１０１】
条件式（１７）の上限の０．９７０を越えて１前後の値のとき、歪曲収差が光学的に良好に補正されたことに相当するが、光学系の小型化を維持しながら広い視野角にわたって像として取り込むことが困難になる。下限の０．８５０を越えると、光学系の歪曲収差による画像歪みを画像処理にて補正した場合、画角周辺部の放射方向への引き伸ばし倍率が高くなりすぎて画像周辺部の画像鮮鋭度の劣化が目立つようになる。
【０１０２】
なお、以下を満足するとなおよい。
【０１０３】
０．８８０＜ｙ07／（ｆw ・ tanω07w ）＜０．９６０        ・・・（１７）’
さらに、以下を満たすと最もよい。
【０１０４】
０．９１０＜ｙ07／（ｆw ・ tanω07w ）＜０．９５０        ・・・（１７）”
上述の各構成は任意に複数を同時に満足してもよく、それにより、より良好な効果を得ることができる。
【０１０５】
また、各条件式についても任意に組み合わせて満足すれば、より良好な効果を得ることができる。
【０１０６】
以上の本発明のズームレンズは、そのズームレンズによって形成された物体像を受光する位置に配置された撮像素子を備えるようにして電子撮像装置として構成することができる。
【０１０７】
また、以上の本発明のズームレンズは、そのズームレンズによって形成された物体像を受光する位置に配置された撮像素子と、その撮像素子によって光電変換された電子信号を処理するＣＰＵと、操作者がＣＰＵに入力したい情報信号を入力するための入力部と、ＣＰＵからの出力を表示装置（例えば、ＬＣＤ）に表示する表示処理手段と、ＣＰＵからの出力を記録する記録媒体とを含み、ＣＰＵは、ズームレンズによって撮像素子で受光された物体像を表示装置に表示するように構成されている情報処理装置として構成することができる。
【０１０８】
その場合の情報処理装置としては、携帯端末機器（例えば、携帯電話、ＰＤＡ等）がある。
【０１０９】
また、以上の本発明のズームレンズは、そのズームレンズによって形成された物体像を受光する位置に配置された撮像素子と、その撮像素子によって光電変換された電子信号を処理するＣＰＵと、その撮像素子で受光された物体像を観察可能に表示する表示素子とを有し、撮像素子で受光された物体像の像情報を記録するための記録媒体（例えば、メモリでメモリカードやＤＶＤ±ＲＷ等）を内蔵又は挿脱するように構成され、ＣＰＵが、撮像素子に受光された物体像を表示素子に表示する表示装置と、撮像素子に受光された物体像を記録媒体に記録する記録処理手段とを有する電子カメラ装置として構成することができる。
【発明の効果】
【０１１０】
以上説明したように、本発明により、ズーム比が大きく、広角端での画角が大きく、電子撮像素子に適しており、光学性能がさらに向上されていて、鏡筒のコンパクト化に好適で、安価なズームレンズを提供することができる。
【発明を実施するための最良の形態】
【０１１１】
以下、本発明のズームレンズの実施例１〜６について説明する。実施例１〜６の無限遠物点合焦時の広角端（ａ）、中間状態（ｂ）、望遠端（ｃ）のレンズ断面図をそれぞれ図１〜図６に示す。図中、第１レンズ群はＧ１、第２レンズ群はＧ２、開口絞りはＳ、第３レンズ群はＧ３、第４レンズ群はＧ４、第５レンズ群はＧ５、ＩＲカットコートを施したローパスフィルター等を構成する平行平板はＦ、電子撮像素子（ＣＣＤやＣＭＯＳ）のカバーガラスの平行平板はＣ、像面（電子撮像素子の受光面）はＩで示してある。なお、カバーガラスＣの表面に波長域制限用の多層膜を施してもよい。また、そのカバーガラスＣにローパスフィルター作用を持たせるようにしてもよい。
【０１１２】
実施例１のズーム光学系は、図１に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は物体側へ移動し、第２レンズ群Ｇ２は広角端から中間状態にかけては物体側へ若干移動し、中間状態から望遠端にかけては像側へ移動し、望遠端では広角端の位置より像側に位置する。開口絞りＳと第３レンズ群Ｇ３は一体に第１レンズ群Ｇ２との間隔を縮めながら物体側に単調に移動する。第４レンズ群Ｇ４は第３レンズ群Ｇ３との間隔を広角端から中間状態にかけては広げながら、中間状態から望遠端にかけては狭めながら物体側に移動する。第５レンズ群Ｇ５は像側へ移動する。
【０１１３】
物体側から順に、第１レンズ群Ｇ１は、両凸正レンズ１枚からなり、第２レンズ群Ｇ２は、両凹負レンズと、両凹負レンズと両凸正レンズの接合レンズからなり、第３レンズ群Ｇ３は、両凸正レンズと像側に凸面を向けた負メニスカスレンズの接合レンズからなり、第４レンズ群Ｇ４は、物体側に凸面を向けた正メニスカスレンズと物体側に凸面を向けた負メニスカスレンズの接合レンズからなり、第５レンズ群Ｇ５は、両凸正レンズ１枚からなる。開口絞りＳは第３レンズ群Ｇ３の物体側に一体に位置する。
【０１１４】
非球面は、第１レンズ群Ｇ１の両凸正レンズの両面、第２レンズ群Ｇ２の両凹負レンズの両面、第３レンズ群Ｇ３の接合レンズの最も物体側の面、第４レンズ群Ｇ４の接合レンズの最も物体側の面の６面に用いている。
【０１１５】
実施例２のズーム光学系は、図２に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は物体側へ移動し、第２レンズ群Ｇ２は広角端から中間状態にかけては物体側へ若干移動し、中間状態から望遠端にかけては像側へ移動し、望遠端では広角端の位置より像側に位置する。開口絞りＳと第３レンズ群Ｇ３は一体に第１レンズ群Ｇ２との間隔を縮めながら物体側に単調に移動する。第４レンズ群Ｇ４は第３レンズ群Ｇ３との間隔を広角端から中間状態にかけては広げながら、中間状態から望遠端にかけては狭めながら物体側に移動する。第５レンズ群Ｇ５は像側へ移動する。
【０１１６】
物体側から順に、第１レンズ群Ｇ１は、両凸正レンズ１枚からなり、第２レンズ群Ｇ２は、両凹負レンズと、両凹負レンズと両凸正レンズの接合レンズからなり、第３レンズ群Ｇ３は、両凸正レンズと両凹負レンズの接合レンズからなり、第４レンズ群Ｇ４は、両凸正レンズと両凹負レンズの接合レンズからなり、第５レンズ群Ｇ５は、両凸正レンズ１枚からなる。開口絞りＳは第３レンズ群Ｇ３の物体側に一体に位置する。
【０１１７】
非球面は、第１レンズ群Ｇ１の両凸正レンズの両面、第２レンズ群Ｇ２の両凹負レンズの両面、第３レンズ群Ｇ３の接合レンズの最も物体側の面と最も像側の面の６面に用いている。
【０１１８】
実施例３のズーム光学系は、図３に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は物体側へ移動し、第２レンズ群Ｇ２は広角端から中間状態にかけては物体側へ若干移動し、中間状態から望遠端にかけては像側へ移動し、望遠端では広角端の位置より像側に位置する。開口絞りＳと第３レンズ群Ｇ３は一体に第１レンズ群Ｇ２との間隔を縮めながら物体側に単調に移動する。第４レンズ群Ｇ４は第３レンズ群Ｇ３との間隔を広角端から中間状態にかけては広げながら、中間状態から望遠端にかけては狭めながら物体側に移動する。第５レンズ群Ｇ５は像側へ移動する。
【０１１９】
物体側から順に、第１レンズ群Ｇ１は、両凸正レンズ１枚からなり、第２レンズ群Ｇ２は、両凹負レンズと、両凹負レンズと両凸正レンズの接合レンズからなり、第３レンズ群Ｇ３は、両凸正レンズと両凹負レンズの接合レンズからなり、第４レンズ群Ｇ４は、両凸正レンズと両凹負レンズの接合レンズからなり、第５レンズ群Ｇ５は、両凸正レンズ１枚からなる。開口絞りＳは第３レンズ群Ｇ３の物体側に一体に位置する。
【０１２０】
非球面は、第１レンズ群Ｇ１の両凸正レンズの両面、第２レンズ群Ｇ２の両凹負レンズの両面、第３レンズ群Ｇ３の接合レンズの最も物体側の面と最も像側の面の６面に用いている。
【０１２１】
実施例４のズーム光学系は、図４に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は物体側へ移動し、第２レンズ群Ｇ２は像側へ移動する。開口絞りＳと第３レンズ群Ｇ３は一体に第１レンズ群Ｇ２との間隔を縮めながら物体側に単調に移動する。第４レンズ群Ｇ４は第３レンズ群Ｇ３との間隔を広角端から中間状態にかけては広げながら、中間状態から望遠端にかけては狭めながら物体側に移動する。第５レンズ群Ｇ５は像側へ移動する。
【０１２２】
物体側から順に、第１レンズ群Ｇ１は、両凸正レンズ１枚からなり、第２レンズ群Ｇ２は、両凹負レンズと、両凹負レンズと両凸正レンズの接合レンズからなり、第３レンズ群Ｇ３は、両凸正レンズと両凹負レンズの接合レンズからなり、第４レンズ群Ｇ４は、物体側に凸面を向けた正メニスカスレンズと物体側に凸面を向けた負メニスカスレンズの接合レンズからなり、第５レンズ群Ｇ５は、両凸正レンズ１枚からなる。開口絞りＳは第３レンズ群Ｇ３の物体側に一体に位置する。
【０１２３】
非球面は、第１レンズ群Ｇ１の両凸正レンズの両面、第２レンズ群Ｇ２の両凹負レンズの両面、第３レンズ群Ｇ３の接合レンズの最も物体側の面と最も像側の面の６面に用いている。
【０１２４】
実施例５のズーム光学系は、図５に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は物体側へ移動し、第２レンズ群Ｇ２は広角端から中間状態にかけては物体側へ若干移動し、中間状態から望遠端にかけては像側へ移動し、望遠端では広角端の位置より像側に位置する。開口絞りＳと第３レンズ群Ｇ３は一体に第１レンズ群Ｇ２との間隔を縮めながら物体側に単調に移動する。第４レンズ群Ｇ４は第３レンズ群Ｇ３との間隔を広角端から中間状態にかけては広げながら、中間状態から望遠端にかけては狭めながら物体側に移動する。第５レンズ群Ｇ５は像側へ移動する。
【０１２５】
物体側から順に、第１レンズ群Ｇ１は、両凸正レンズ１枚からなり、第２レンズ群Ｇ２は、両凹負レンズと、両凹負レンズと両凸正レンズの接合レンズからなり、第３レンズ群Ｇ３は、両凸正レンズと両凹負レンズの接合レンズからなり、第４レンズ群Ｇ４は、両凸正レンズと両凹負レンズの接合レンズからなり、第５レンズ群Ｇ５は、両凸正レンズ１枚からなる。開口絞りＳは第３レンズ群Ｇ３の物体側に一体に位置する。
【０１２６】
非球面は、第１レンズ群Ｇ１の両凸正レンズの両面、第２レンズ群Ｇ２の両凹負レンズの両面、第３レンズ群Ｇ３の接合レンズの最も物体側の面と最も像側の面の６面に用いている。
【０１２７】
実施例６のズーム光学系は、図６に示すように、物体側から順に、正屈折力の第１レンズ群Ｇ１、負屈折力の第２レンズ群Ｇ２、開口絞りＳ、正屈折力の第３レンズ群Ｇ３、負屈折力の第４レンズ群Ｇ４、正屈折力の第５レンズ群Ｇ５から構成されており、広角端から望遠端への変倍をする際に、第１レンズ群Ｇ１は物体側へ移動し、第２レンズ群Ｇ２は広角端から中間状態にかけては物体側へ若干移動し、中間状態から望遠端にかけては像側へ移動し、望遠端では広角端の位置より像側に位置する。開口絞りＳと第３レンズ群Ｇ３は一体に第１レンズ群Ｇ２との間隔を縮めながら物体側に単調に移動する。第４レンズ群Ｇ４は第３レンズ群Ｇ３との間隔を広角端から中間状態にかけては広げながら、中間状態から望遠端にかけては狭めながら物体側に移動する。第５レンズ群Ｇ５は像側へ移動する。
【０１２８】
物体側から順に、第１レンズ群Ｇ１は、両凸正レンズ１枚からなり、第２レンズ群Ｇ２は、両凹負レンズと、両凹負レンズと両凸正レンズの接合レンズからなり、第３レンズ群Ｇ３は、両凸正レンズと両凹負レンズの接合レンズからなり、第４レンズ群Ｇ４は、両凸正レンズと両凹負レンズの接合レンズからなり、第５レンズ群Ｇ５は、両凸正レンズ１枚からなる。開口絞りＳは第３レンズ群Ｇ３の物体側に一体に位置する。
【０１２９】
非球面は、第１レンズ群Ｇ１の両凸正レンズの両面、第２レンズ群Ｇ２の両凹負レンズの両面、第３レンズ群Ｇ３の接合レンズの最も物体側の面と最も像側の面の６面に用いている。
【０１３０】
以下に、上記各実施例の数値データを示すが、記号は上記の外、ｆは全系焦点距離、ＦNOはＦナンバー、２ωは画角、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【０１３１】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10
ただし、ｒは近軸曲率半径、Ｋは円錐係数、Ａ4 、Ａ6 、Ａ8 、Ａ10はそれぞれ４次、６次、８次、１０次の非球面係数である。
【０１３２】
実施例１
ｒ1 =    13.131 （非球面）  ｄ1 =  3.17     ｎd1 =1.49700 νd1 =81.54 
ｒ2 =  -145.288 （非球面）  ｄ2 = （可変）  
ｒ3 =   -37.836 （非球面）  ｄ3 =  0.80     ｎd2 =1.80610 νd2 =40.92 
ｒ4 =     9.350 （非球面）  ｄ4 =  2.19     
ｒ5 =    -8.965             ｄ5 =  0.70     ｎd3 =1.58913 νd3 =61.14 
ｒ6 =    29.209             ｄ6 =  1.48     ｎd4 =1.92286 νd4 =18.90 
ｒ7 =   -28.126             ｄ7 = （可変）  
ｒ8 =     ∞（絞り）        ｄ8 =  0.37     
ｒ9 =    17.925 （非球面）  ｄ9 =  1.59     ｎd5 =1.77377 νd5 =47.17 
ｒ10=    -6.800             ｄ10=  0.61     ｎd6 =1.78472 νd6 =25.68 
ｒ11=   -19.935             ｄ11= （可変）  
ｒ12=     4.410 （非球面）  ｄ12=  1.97     ｎd7 =1.76802 νd7 =49.24 
ｒ13=    11.157             ｄ13=  0.51     ｎd8 =2.00069 νd8 =25.46 
ｒ14=     3.550             ｄ14= （可変）  
ｒ15=    41.001             ｄ15=  2.35     ｎd9 =1.80518 νd9 =25.42 
ｒ16=   -14.105             ｄ16= （可変）  
ｒ17=     ∞                ｄ17=  0.50     ｎd10=1.54771 νd10=62.84 
ｒ18=     ∞                ｄ18=  0.50     
ｒ19=     ∞                ｄ19=  0.50     ｎd11=1.51633 νd11=64.14 
ｒ20=     ∞                ｄ20=  0.60     
ｒ21=     ∞（像面）        
非球面係数
第１面
Ｋ  =  0.000
Ａ4 = -2.41125×10-5
Ａ6 = -3.21539×10-7
Ａ8 =  0
Ａ10=  0
第２面
Ｋ  =  0.000
Ａ4 = -6.80953×10-6
Ａ6 = -3.70482×10-8
Ａ8 =  0
Ａ10=  0
第３面
Ｋ  =  0.000
Ａ4 =  3.50640×10-4
Ａ6 = -4.49378×10-6
Ａ8 =  1.59282×10-7
Ａ10= -2.37981×10-9
第４面
Ｋ  = -1.061
Ａ4 =  3.44906×10-4
Ａ6 =  1.17809×10-5
Ａ8 = -2.58210×10-7
Ａ10=  2.30813×10-8
第９面
Ｋ  =  0.748
Ａ4 = -6.22558×10-5
Ａ6 =  2.61058×10-7
Ａ8 =  2.30167×10-7
Ａ10= -1.23545×10-7
第１２面
Ｋ  = -0.044
Ａ4 = -1.42650×10-4
Ａ6 =  1.82011×10-6
Ａ8 =  0
Ａ10=  0
ズームデータ（∞）
ＷＥ            ＳＴ            ＴＥ
ｆ (mm)             6.62           14.58           31.74  
ＦNO                3.31            4.38            5.16  
２ω（°）         68.01           29.91           13.95  
ｄ2                 0.57            5.03            9.28  
ｄ7                11.18            6.03            0.43  
ｄ11                0.38            2.69            0.22  
ｄ14                3.34            7.88           13.49  
ｄ16                4.54            3.23            2.28                    。
【０１３３】
実施例２
ｒ1 =    13.726 （非球面）  ｄ1 =  3.17     ｎd1 =1.49700 νd1 =81.54 
ｒ2 =   -85.837 （非球面）  ｄ2 = （可変）  
ｒ3 =   -38.043 （非球面）  ｄ3 =  0.80     ｎd2 =1.80610 νd2 =40.92 
ｒ4 =     9.226 （非球面）  ｄ4 =  2.19     
ｒ5 =    -9.230             ｄ5 =  0.70     ｎd3 =1.58913 νd3 =61.14 
ｒ6 =    25.936             ｄ6 =  1.48     ｎd4 =1.92286 νd4 =18.90 
ｒ7 =   -36.175             ｄ7 = （可変）  
ｒ8 =     ∞（絞り）        ｄ8 =  0.37     
ｒ9 =     7.800 （非球面）  ｄ9 =  2.22     ｎd5 =1.77377 νd5 =47.17 
ｒ10=    -6.800             ｄ10=  0.61     ｎd6 =1.68893 νd6 =31.16 
ｒ11=    20.470 （非球面）  ｄ11= （可変）  
ｒ12=     5.311             ｄ12=  2.07     ｎd7 =1.88300 νd7 =40.76 
ｒ13= -1158.189             ｄ13=  0.51     ｎd8 =2.00069 νd8 =25.46 
ｒ14=     4.141             ｄ14= （可変）  
ｒ15=    30.007             ｄ15=  2.35     ｎd9 =1.80518 νd9 =25.42 
ｒ16=   -14.743             ｄ16= （可変）  
ｒ17=     ∞                ｄ17=  0.50     ｎd10=1.54771 νd10=62.84 
ｒ18=     ∞                ｄ18=  0.50     
ｒ19=     ∞                ｄ19=  0.50     ｎd11=1.51633 νd11=64.14 
ｒ20=     ∞                ｄ20=  0.60     
ｒ21=     ∞（像面）        
非球面係数
第１面
Ｋ  =  0.000
Ａ4 = -1.82405×10-5
Ａ6 = -2.53266×10-7
Ａ8 =  0
Ａ10=  0
第２面
Ｋ  =  0.000
Ａ4 =  6.18637×10-6
Ａ6 = -6.21578×10-8
Ａ8 =  0
Ａ10=  0
第３面
Ｋ  =  0.000
Ａ4 =  3.72444×10-4
Ａ6 = -4.17444×10-6
Ａ8 =  8.99176×10-8
Ａ10= -1.56083×10-9
第４面
Ｋ  = -1.570
Ａ4 =  5.05344×10-4
Ａ6 =  1.07045×10-5
Ａ8 =  8.83402×10-9
Ａ10=  8.19063×10-9
第９面
Ｋ  = -0.939
Ａ4 =  7.47118×10-4
Ａ6 =  1.87059×10-5
Ａ8 = -5.14211×10-7
Ａ10= -8.51175×10-8
第１１面
Ｋ  =  0.000
Ａ4 =  1.47264×10-3
Ａ6 =  4.28950×10-5
Ａ8 =  0
Ａ10=  0
ズームデータ（∞）
ＷＥ            ＳＴ            ＴＥ
ｆ (mm)             6.62           14.22           31.73  
ＦNO                3.41            4.35            5.02  
２ω（°）         67.57           30.38           13.84  
ｄ2                 0.57            5.04            9.51  
ｄ7                11.02            6.00            0.43  
ｄ11                0.40            2.60            0.22  
ｄ14                3.33            6.79           11.99  
ｄ16                4.05            3.45            2.87                    。
【０１３４】
実施例３
ｒ1 =    12.998 （非球面）  ｄ1 =  3.45     ｎd1 =1.43875 νd1 =94.93 
ｒ2 =   -56.964 （非球面）  ｄ2 = （可変）  
ｒ3 =   -29.930 （非球面）  ｄ3 =  0.80     ｎd2 =1.80610 νd2 =40.92 
ｒ4 =     9.186 （非球面）  ｄ4 =  2.19     
ｒ5 =    -9.158             ｄ5 =  0.70     ｎd3 =1.58913 νd3 =61.14 
ｒ6 =    27.313             ｄ6 =  1.48     ｎd4 =1.92286 νd4 =18.90 
ｒ7 =   -29.143             ｄ7 = （可変）  
ｒ8 =     ∞（絞り）        ｄ8 =  0.37     
ｒ9 =     7.800 （非球面）  ｄ9 =  2.20     ｎd5 =1.77377 νd5 =47.17 
ｒ10=    -6.800             ｄ10=  0.61     ｎd6 =1.68893 νd6 =31.16 
ｒ11=    20.540 （非球面）  ｄ11= （可変）  
ｒ12=     5.367             ｄ12=  2.08     ｎd7 =1.88300 νd7 =40.76 
ｒ13=  -114.106             ｄ13=  0.51     ｎd8 =2.00069 νd8 =25.46 
ｒ14=     4.180             ｄ14= （可変）  
ｒ15=    28.481             ｄ15=  2.35     ｎd9 =1.80518 νd9 =25.42 
ｒ16=   -14.752             ｄ16= （可変）  
ｒ17=     ∞                ｄ17=  0.50     ｎd10=1.54771 νd10=62.84 
ｒ18=     ∞                ｄ18=  0.50     
ｒ19=     ∞                ｄ19=  0.50     ｎd11=1.51633 νd11=64.14 
ｒ20=     ∞                ｄ20=  0.62     
ｒ21=     ∞（像面）        
非球面係数
第１面
Ｋ  =  0.000
Ａ4 = -2.35458×10-5
Ａ6 = -2.41873×10-7
Ａ8 =  0
Ａ10=  0
第２面
Ｋ  =  0.000
Ａ4 =  1.27194×10-5
Ａ6 = -1.28219×10-8
Ａ8 =  0
Ａ10=  0
第３面
Ｋ  =  0.000
Ａ4 =  3.93377×10-4
Ａ6 = -4.71194×10-6
Ａ8 =  7.44028×10-8
Ａ10= -1.26789×10-9
第４面
Ｋ  = -0.854
Ａ4 =  3.85073×10-4
Ａ6 =  1.09184×10-5
Ａ8 = -6.06903×10-9
Ａ10=  3.00577×10-9
第９面
Ｋ  = -0.890
Ａ4 =  7.37916×10-4
Ａ6 =  1.63555×10-5
Ａ8 = -1.04707×10-7
Ａ10= -1.09038×10-7
第１１面
Ｋ  =  0.000
Ａ4 =  1.45721×10-3
Ａ6 =  4.23048×10-5
Ａ8 =  0
Ａ10=  0
ズームデータ（∞）
ＷＥ            ＳＴ            ＴＥ
ｆ (mm)             6.62           14.42           31.74  
ＦNO                3.41            4.35            4.88  
２ω（°）         67.98           30.01           13.77  
ｄ2                 0.57            5.41           10.11  
ｄ7                10.77            5.89            0.43  
ｄ11                0.47            2.62            0.25  
ｄ14                3.35            6.91           11.39  
ｄ16                4.04            3.32            2.52                    。
【０１３５】
実施例４
ｒ1 =    14.006 （非球面）  ｄ1 =  3.21     ｎd1 =1.49700 νd1 =81.54 
ｒ2 =   -63.961 （非球面）  ｄ2 = （可変）  
ｒ3 =   -62.128 （非球面）  ｄ3 =  0.80     ｎd2 =1.80610 νd2 =40.92 
ｒ4 =     8.732 （非球面）  ｄ4 =  2.19     
ｒ5 =    -9.634             ｄ5 =  0.71     ｎd3 =1.69680 νd3 =55.53 
ｒ6 =    27.040             ｄ6 =  1.51     ｎd4 =1.92286 νd4 =18.90 
ｒ7 =   -27.632             ｄ7 = （可変）  
ｒ8 =     ∞（絞り）        ｄ8 =  0.37     
ｒ9 =     7.059 （非球面）  ｄ9 =  2.61     ｎd5 =1.77377 νd5 =47.17 
ｒ10=    -5.168             ｄ10=  0.60     ｎd6 =1.68893 νd6 =31.16 
ｒ11=    13.827 （非球面）  ｄ11= （可変）  
ｒ12=     5.051             ｄ12=  1.62     ｎd7 =1.81600 νd7 =46.62 
ｒ13=    12.402             ｄ13=  0.50     ｎd8 =2.00069 νd8 =25.46 
ｒ14=     4.165             ｄ14= （可変）  
ｒ15=    38.360             ｄ15=  2.35     ｎd9 =2.00069 νd9 =25.46 
ｒ16=   -17.347             ｄ16= （可変）  
ｒ17=     ∞                ｄ17=  0.50     ｎd10=1.54771 νd10=62.84 
ｒ18=     ∞                ｄ18=  0.50     
ｒ19=     ∞                ｄ19=  0.50     ｎd11=1.51633 νd11=64.14 
ｒ20=     ∞                ｄ20=  0.61     
ｒ21=     ∞（像面）        
非球面係数
第１面
Ｋ  =  0.000
Ａ4 = -1.80006×10-5
Ａ6 = -1.32046×10-7
Ａ8 =  0
Ａ10=  0
第２面
Ｋ  =  0.000
Ａ4 =  1.72341×10-5
Ａ6 = -4.04260×10-8
Ａ8 =  0
Ａ10=  0
第３面
Ｋ  =  0.000
Ａ4 =  3.30809×10-4
Ａ6 = -6.93335×10-6
Ａ8 =  1.83679×10-7
Ａ10= -2.54736×10-9
第４面
Ｋ  = -1.404
Ａ4 =  5.12084×10-4
Ａ6 =  2.34364×10-6
Ａ8 =  2.19326×10-7
Ａ10=  1.22205×10-9
第９面
Ｋ  = -3.142
Ａ4 =  1.44837×10-3
Ａ6 = -1.26704×10-5
Ａ8 =  5.36646×10-7
Ａ10= -1.42543×10-7
第１１面
Ｋ  =  0.000
Ａ4 =  1.60777×10-3
Ａ6 =  4.12926×10-5
Ａ8 =  0
Ａ10=  0
ズームデータ（∞）
ＷＥ            ＳＴ            ＴＥ
ｆ (mm)             6.61           14.94           31.74  
ＦNO                3.37            4.23            5.00  
２ω（°）         65.48           28.47           13.73  
ｄ2                 0.57            5.62            9.27  
ｄ7                10.77            5.68            0.43  
ｄ11                0.48            1.92            0.15  
ｄ14                3.35            7.18           12.47  
ｄ16                4.23            3.63            2.68                    。
【０１３６】
実施例５
ｒ1 =    14.666 （非球面）  ｄ1 =  3.20     ｎd1 =1.43875 νd1 =94.93 
ｒ2 =   -54.521 （非球面）  ｄ2 = （可変）  
ｒ3 =   -38.229 （非球面）  ｄ3 =  0.80     ｎd2 =1.80610 νd2 =40.92 
ｒ4 =     9.630 （非球面）  ｄ4 =  2.19     
ｒ5 =    -8.740             ｄ5 =  0.70     ｎd3 =1.58913 νd3 =61.14 
ｒ6 =    32.581             ｄ6 =  1.48     ｎd4 =1.92286 νd4 =18.90 
ｒ7 =   -27.615             ｄ7 = （可変）  
ｒ8 =     ∞（絞り）        ｄ8 =  0.37     
ｒ9 =     7.800 （非球面）  ｄ9 =  2.57     ｎd5 =1.77377 νd5 =47.17 
ｒ10=    -6.800             ｄ10=  0.61     ｎd6 =1.68893 νd6 =31.16 
ｒ11=    19.246 （非球面）  ｄ11= （可変）  
ｒ12=     5.370             ｄ12=  2.06     ｎd7 =1.88300 νd7 =40.76 
ｒ13=  -129.784             ｄ13=  0.51     ｎd8 =2.00069 νd8 =25.46 
ｒ14=     4.191             ｄ14= （可変）  
ｒ15=    20.499             ｄ15=  2.35     ｎd9 =1.80518 νd9 =25.42 
ｒ16=   -17.739             ｄ16= （可変）  
ｒ17=     ∞                ｄ17=  0.50     ｎd10=1.54771 νd10=62.84 
ｒ18=     ∞                ｄ18=  0.50     
ｒ19=     ∞                ｄ19=  0.50     ｎd11=1.51633 νd11=64.14 
ｒ20=     ∞                ｄ20=  0.61     
ｒ21=     ∞（像面）        
非球面係数
第１面
Ｋ  =  0.000
Ａ4 = -1.81359×10-5
Ａ6 = -1.31494×10-7
Ａ8 =  0
Ａ10=  0
第２面
Ｋ  =  0.000
Ａ4 =  1.01441×10-5
Ａ6 = -3.08880×10-9
Ａ8 =  0
Ａ10=  0
第３面
Ｋ  =  0.000
Ａ4 =  2.78275×10-4
Ａ6 = -3.87019×10-6
Ａ8 =  1.47604×10-7
Ａ10= -2.32474×10-9
第４面
Ｋ  = -0.584
Ａ4 =  2.50636×10-4
Ａ6 =  2.47399×10-6
Ａ8 =  2.47163×10-7
Ａ10=  4.96916×10-9
第９面
Ｋ  = -0.811
Ａ4 =  5.56562×10-4
Ａ6 =  1.18629×10-5
Ａ8 = -2.52008×10-7
Ａ10= -2.82755×10-8
第１１面
Ｋ  =  0.000
Ａ4 =  1.25468×10-3
Ａ6 =  3.36566×10-5
Ａ8 =  0
Ａ10=  0
ズームデータ（∞）
ＷＥ            ＳＴ            ＴＥ
ｆ (mm)             6.61           14.27           31.75  
ＦNO                2.80            3.58            3.91  
２ω（°）         67.73           29.93           13.57  
ｄ2                 0.57            6.16           11.61  
ｄ7                10.77            6.27            0.43  
ｄ11                0.38            2.63            0.28  
ｄ14                3.32            6.97           11.00  
ｄ16                4.04            3.21            2.75                    。
【０１３７】
実施例６
ｒ1 =    14.558 （非球面）  ｄ1 =  3.24     ｎd1 =1.43875 νd1 =94.93 
ｒ2 =   -52.051 （非球面）  ｄ2 = （可変）  
ｒ3 =   -44.850 （非球面）  ｄ3 =  0.80     ｎd2 =1.88300 νd2 =40.76 
ｒ4 =     9.992 （非球面）  ｄ4 =  2.19     
ｒ5 =    -8.538             ｄ5 =  0.70     ｎd3 =1.58913 νd3 =61.14 
ｒ6 =    35.581             ｄ6 =  1.47     ｎd4 =1.92286 νd4 =18.90 
ｒ7 =   -25.525             ｄ7 = （可変）  
ｒ8 =     ∞（絞り）        ｄ8 =  0.37     
ｒ9 =     7.800 （非球面）  ｄ9 =  2.60     ｎd5 =1.77377 νd5 =47.17 
ｒ10=    -6.800             ｄ10=  0.60     ｎd6 =1.68893 νd6 =31.16 
ｒ11=    19.250 （非球面）  ｄ11= （可変）  
ｒ12=     5.360             ｄ12=  2.10     ｎd7 =1.88300 νd7 =40.76 
ｒ13=   -93.009             ｄ13=  0.50     ｎd8 =2.00069 νd8 =25.46 
ｒ14=     4.176             ｄ14= （可変）  
ｒ15=    20.185             ｄ15=  2.35     ｎd9 =1.80518 νd9 =25.42 
ｒ16=   -18.062             ｄ16= （可変）  
ｒ17=     ∞                ｄ17=  0.50     ｎd10=1.54771 νd10=62.84 
ｒ18=     ∞                ｄ18=  0.50     
ｒ19=     ∞                ｄ19=  0.50     ｎd11=1.51633 νd11=64.14 
ｒ20=     ∞                ｄ20=  0.60     
ｒ21=     ∞（像面）        
非球面係数
第１面
Ｋ  =  0.000
Ａ4 = -1.83244×10-5
Ａ6 = -1.28024×10-7
Ａ8 =  0
Ａ10=  0
第２面
Ｋ  =  0.000
Ａ4 =  1.21730×10-5
Ａ6 = -3.83119×10-9
Ａ8 =  0
Ａ10=  0
第３面
Ｋ  =  0.000
Ａ4 =  2.39553×10-4
Ａ6 = -2.82074×10-6
Ａ8 =  1.20596×10-7
Ａ10= -2.14299×10-9
第４面
Ｋ  = -0.619
Ａ4 =  2.24098×10-4
Ａ6 =  1.75073×10-6
Ａ8 =  3.08030×10-7
Ａ10= -6.71731×10-10 
第９面
Ｋ  = -0.785
Ａ4 =  5.49617×10-4
Ａ6 =  1.15403×10-5
Ａ8 = -2.60160×10-7
Ａ10= -2.62162×10-8
第１１面
Ｋ  =  0.000
Ａ4 =  1.25458×10-3
Ａ6 =  3.33752×10-5
Ａ8 =  0
Ａ10=  0
ズームデータ（∞）
ＷＥ            ＳＴ            ＴＥ
ｆ (mm)             6.61           14.22           31.76  
ＦNO                2.80            3.57            3.89  
２ω（°）         67.64           29.95           13.54  
ｄ2                 0.57            6.12           11.47  
ｄ7                10.66            6.30            0.43  
ｄ11                0.39            2.63            0.29  
ｄ14                3.32            6.96           10.94  
ｄ16                4.06            3.22            2.83                    。
【０１３８】
以上の実施例１〜６の無限遠物点合焦時の収差図をそれぞれ図７〜図１２に示す。これらの収差図において、（ａ）は広角端、（ｂ）は中間状態、（ｃ）は望遠端における球面収差、非点収差、歪曲収差、倍率色収差を示す。各図中、“ＦＩＹ”は最大像高を示す。
【０１３９】
次に、上記各実施例における条件式（１）〜（１７）の値を示す。
【０１４０】
条件式    実施例１  実施例２  実施例３  実施例４  実施例５  実施例６            （１）     5.720     5.727     5.752     5.745     5.750     5.753
（２）     1.371     1.373     1.372     1.373     1.418     1.416
（３）    81.540    81.540    94.930    81.540    94.930    94.930
（４）    -0.834    -0.724    -0.628    -0.641    -0.576    -0.563
（５）     1.806     1.806     1.806     1.806     1.806     1.883
（６）     1.923     1.923     1.923     1.923     1.923     1.923
（７）    40.920    40.920    40.920    40.920    40.920    40.760
（８）     2.001     2.001     2.001     2.001     2.001     2.001
（９）    25.458    25.458    25.458    25.458    25.458    25.458
（１０）     1.805     1.805     1.805     2.001     1.805     1.805
（１１）    25.420    25.420    25.420    25.458    25.420    25.420
（１２）     3.686     3.633     3.702     3.546     4.040     3.983
（１３）    -1.190    -1.122    -1.133    -1.117    -1.192    -1.172
（１４）     1.915     1.842     1.842     1.806     1.875     1.876
（１５）    -6.712    -7.112    -6.768    -7.246    -6.814    -6.850
（１６）     2.008     1.898     1.870     1.845     1.836     1.842
（１７）     0.923     0.926     0.924     0.943     0.928     0.929
さて、以上のような本発明のズームレンズは、ズームレンズの結像光学系で物体像を形成しその像をＣＣＤや銀塩フィルムといった撮像素子に受光させて撮影を行う撮影装置に用いることができる。上記撮影装置は、具体的な製品としては、例えば、デジタルカメラ、カメラが組み込まれた、パソコン、携帯電話やＰＤＡ（Personal Digital Assistant）等のデジタル端末機器として広く適用することができる。以下に、その実施形態の１つを例示する。
【０１４１】
図１３〜図１５は、以上のようなズームレンズを撮影光学系４１に組み込んだ本発明によるデジタルカメラの構成の概念図を示す。図１３はデジタルカメラ４０の外観を示す前方斜視図、図１４は同後方正面図、図１５はデジタルカメラ４０の構成を示す模式的な断面図である。ただし、図１３と図１５においては、撮影光学系４１の非沈胴時を示している。デジタルカメラ４０は、この例の場合、撮影用光路４２上に位置する撮影光学系４１、ファインダー用光路４４上に位置するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図１５の非沈胴状態になり、カメラ４０の上部に配置されたシャッターボタン４５を押圧すると、それに連動して撮影光学系４１、例えば実施例１のズームレンズを通して撮影が行われる。撮影光学系４１によって形成された物体像が、波長域制限コートを施したローパスフィルターＦとカバーガラスＣを介してＣＣＤ４９の撮像面（光電変換面）上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フロッピーディスクやメモリーカード、ＭＯ等により電子的に記録書込を行うように構成してもよい。また、ＣＣＤ４９に代わって銀塩フィルムを配置した銀塩カメラとして構成してもよい。
【０１４２】
さらに、ファインダー用光路４４上にはファインダー用対物光学系５３が配置してある。ファインダー用対物光学系５３は、複数のレンズ群（図の場合は３群）と正立プリズム５５ａ、５５ｂ、５５ｃからなる正立プリズム系５５とから構成され、撮影光学系４１のズームレンズに連動して焦点距離が変化するズーム光学系からなり、このファインダー用対物光学系５３によって形成された物体像は、像正立部材である正立プリズム系５５の視野枠５７上に形成される。この正立プリズム系５５の後方には、正立正像にされた像を観察者眼球Ｅに導く接眼光学系５９が配置されている。なお、接眼光学系５９の射出側にカバー部材５０が配置されている。
【０１４３】
図１６に上記デジタルカメラ４０の主要部の内部構成の概略ブロック図を示す。なお、シャッターボタン４５に代表される操作部は符号５００で示されており、処理手段はＣＰＵ５１で、撮像素子はＣＣＤ４９で構成されているものとし、記録手段はメモリーカード５２１と外部記憶装置（光ディスクやＨＤＤ等）５２２とで構成されているものとしている。ＣＰＵ５１が操作部５００のシャッターボタン４５が押圧されたと判断すると、露光制御による最適シャッター制御値や絞り制御の演算を行い、その演算後にこれら制御値に基づいてシャッター及び絞り制御を行う。その他の制御動作は上記の通りである。
【０１４４】
このように構成されたデジタルカメラ４０は、撮影光学系４１の光学性能が向上されていて、鏡筒のコンパクト化が可能であるので、カメラ全体の高級化、小型化が図れる。
【図面の簡単な説明】
【０１４５】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の図１と同様のレンズ断面図である。
【図３】本発明のズームレンズの実施例３の図１と同様のレンズ断面図である。
【図４】本発明のズームレンズの実施例４の図１と同様のレンズ断面図である。
【図５】本発明のズームレンズの実施例５の図１と同様のレンズ断面図である。
【図６】本発明のズームレンズの実施例６の図１と同様のレンズ断面図である。
【図７】実施例１の無限遠物点合焦時の広角端（ａ）、中間状態（ｂ）、望遠端（ｃ）での収差図である。
【図８】実施例２の図７と同様の収差図である。
【図９】実施例３の図７と同様の収差図である。
【図１０】実施例４の図７と同様の収差図である。
【図１１】実施例５の図７と同様の収差図である。
【図１２】実施例６の図７と同様の収差図である。
【図１３】本発明によるデジタルカメラの外観を示す前方斜視図である。
【図１４】図１３のデジタルカメラの後方斜視図である。
【図１５】図１３のデジタルカメラの断面図である。
【図１６】図１３のデジタルカメラの主要部の内部構成の概略ブロック図である。
【符号の説明】
【０１４６】
Ｇ１…第１レンズ群
Ｇ２…第２レンズ群
Ｇ３…第３レンズ群
Ｇ４…第２レンズ群
Ｇ５…第３レンズ群
Ｓ…開口絞り
Ｆ…ローパスフィルター
Ｃ…カバーガラス
Ｉ…像面
Ｅ…観察者眼球
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム
５７…視野枠
５９…接眼光学系
６０…カバー
６１…焦点距離変更ボタン
６２…設定変更スイッチ
５００…操作部
５２１…メモリーカード
５２２…外部記憶装置（光ディスク、ＨＤＤ）
【図１】
2007279183.tif 000003
【図２】
2007279183.tif 000004
【図３】
2007279183.tif 000005
【図４】
2007279183.tif 000006
【図５】
2007279183.tif 000007
【図６】
2007279183.tif 000008
【図７】
2007279183.tif 000009
【図８】
2007279183.tif 000010
【図９】
2007279183.tif 000011
【図１０】
2007279183.tif 000012
【図１１】
2007279183.tif 000013
【図１２】
2007279183.tif 000014
【図１３】
2007279183.tif 000015
【図１４】
2007279183.tif 000016
【図１５】
2007279183.tif 000017
【図１６】
2007279183.tif 000018